(57)【特許請求の範囲】
【請求項１】
ウェブとフランジとからなるＴ形断面の接合金物の前記フランジの一面を、鉄骨軸組部材としての柱と梁の一方のフランジの表面に接合し、前記ウェブの一面に前記柱と梁の他方のフランジの表面を接合してなる柱梁接合部への筋かいの接合構造において、前記接合金物のウェブの幅を該ウェブの一面に接合される柱または梁のフランジの幅より大きくし、該ウェブの前記柱または梁の幅より外側に広がる部分に筋かい端部を接合したことを特徴とする柱梁接合部への筋かいの接合構造。
【請求項２】
ウェブとフランジとからなるＴ形断面を有し、前記フランジの一面を鉄骨軸組部材としての柱と梁の一方のフランジの表面に接合し、前記ウェブの一面に前記柱と梁の他方のフランジの表面を接合するようにした柱梁接合金物において、前記ウェブの幅を該ウェブの一面に接合される柱または梁のフランジの幅より大きくし、該ウェブの前記柱または梁のフランジの幅より外側に広がる部分を筋かい接合部としたことを特徴とする柱梁接合金物。
【発明の詳細な説明】
【０００１】
【発明の属する技術分野】
本願発明は、鉄骨軸組構造の建築物の柱梁接合部（柱脚部を含む）への筋かいの接合構造、および筋かいを接合可能とした柱梁接合金物に関するものである。
【０００２】
【従来の技術】
従来、軸組の筋かい（水平筋かいを含む）は、柱または梁（基礎梁等を含む）にガセットプレートなどを溶接して、そのガセットプレートに取り付けるのが一般的であった（図４（ａ）  、図５（ａ）  参照）。
【０００３】
【発明が解決しようとする課題】
図４（ａ）  は、従来の基礎梁２と柱１の接合部において、ガセットプレート５を溶接して筋かい６を取り付ける場合であり、ガセットプレート５を取り付ける際の溶接熱による材の歪みの発生が避けられず、歪とりに手間がかかり、歪がとりきれずに残ることもある。また、ガセットプレート製作の手間もかかる。
また、図５（ａ）  は、従来の柱１と梁７の接合部において、梁７にガセットプレート９を溶接して水平筋かい８を取り付ける場合であり、同様にガセットプレート９の製作手間や、梁７の溶接による歪などの問題がある。
【０００４】
一方、図４（ｂ）  のように、柱１のフランジにガセットプレートを用いずに、直接、筋かい６を取り付けることも考えられるが、直接、筋かい６を取り付けようとすると、スプリットティーなどからなる接合金物１３を避けた位置となるため、筋かい６からの引張力または圧縮力により、筋かい６からの軸力により柱１および接合金物１３に大きな曲げモーメントが生じる。
【０００５】
同様に、図５（ｂ）  のように、梁７にガセットプレートを用いずに、直接、水平筋かい８を取り付ける場合、水平筋かい８の芯と柱１の芯のずれが大きくなり、水平筋かい８からの軸力により梁７や接合金物１３、柱１に水平面内の大きな曲げモーメントが生じる。
【０００６】
本願発明は従来技術における上述のような課題の解決を図ったものであり、スプリットティーなどの接合金物を用いた柱梁接合部に筋かいを取り付ける場合において、ガセットプレートを必要とせず、かつ筋かいを柱または梁の芯に近い位置に取り付けることができる接合構造および接合金物をを提供することを目的としている。
【０００７】
【課題を解決するための手段】
本願の請求項１に係る発明は、ウェブとフランジとからなるＴ形断面の接合金物の前記フランジの一面を、鉄骨軸組部材としての柱と梁の一方のフランジの表面に接合し、前記ウェブの一面に前記柱と梁の他方のフランジの表面を接合してなる柱梁接合部への筋かいの接合構造において、前記接合金物のウェブの幅を該ウェブの一面に接合される柱または梁のフランジの幅より大きくし、該ウェブの前記柱または梁の幅より外側に広がる部分に筋かい端部を接合したことを特徴とする。
【０００８】
Ｔ形断面の接合金物としては、従来から柱梁接合部に用いられているいわゆるスプリットティーなどを加工したものなどが利用できるが、接合金物の製作方法等は特に限定されない。
【０００９】
鉄骨軸組部材の柱としてはＨ形鋼が一般的であるが、角形鋼管、溝形鋼を組み合わせたものなどでもよく、その他特に限定されない。同様に、梁についても必ずしもＨ形鋼に限定されない。
【００１０】
また、ここでいう梁は、柱梁架構における通常の梁の他、基礎梁なども含むものとする。筋かいも鉛直な構面内に用いられる筋かいに限らず、水平筋かいなども含む。
【００１１】
柱および梁と接合金物の接合は、通常、高力ボルト接合によって行うが、高力ボルト以外の接合金具を用いた接合であってもよい。
【００１２】
本願の請求項２に係る柱梁接合金物は、上述した請求項１に係る柱梁接合部への筋かいの接合構造に用いられる柱梁接合金物であって、ウェブとフランジとからなるＴ形断面を有し、前記フランジの一面を鉄骨軸組部材としての柱と梁の一方のフランジの表面に接合し、前記ウェブの一面に前記柱と梁の他方のフランジの表面を接合するようにした柱梁接合金物において、前記ウェブの幅を該ウェブの一面に接合される柱または梁のフランジの幅より大きくし、該ウェブの前記柱または梁のフランジの幅より外側に広がる部分を筋かい接合部としたことを特徴とするものである。
【００１３】
すなわち、従来のスプリットティーなどからなる柱梁接合金物の幅を接合する柱や梁の幅より広くとり、その部分に筋かいを取り付けられるようにしたものである。
【００１４】
【発明の実施の形態】
図１は本願発明を基礎梁２と柱１の接合部に適用した場合の一実施形態を示したもので、（ａ）  は正面図、（ｂ）  は側面図である。
【００１５】
この例では基礎梁２と柱１の接合部について、Ｈ形鋼からなる基礎梁２のフランジ上面にスプリットティーからなる一対の接合金物３のフランジ３ｂを高力ボルト等で接合し、２つの接合金物３のウェブ３ａ間にＨ形鋼からなる柱１を挟み込み、接合金物３のウェブ３ａと柱１のフランジを高力ボルト等で接合している。
【００１６】
スプリットティーからなる接合金物３のウェブ３ａの幅は、柱１の幅（この例ではフランジ幅に相当）より十分大きくとってあり、柱１の幅より外側に広がる部分に筋かい６の端部を接合する。この接合は、高力ボルト等で行うことができるが、柱梁接合部に影響を与えなければ溶接等でもよい。
【００１７】
また、図示した例では、接合金物３の幅をウェブ３ａからフランジ３ｂまで同じ幅としているが、ウェブ３ａだけの幅を広くしてもよい。
【００１８】
これに対し、前述した図４（ａ）  の場合、基礎梁２にガセットプレート５を溶接して筋かい６を取り付けており、ガセットプレート５を製作する手間と、基礎梁２に溶接により生じる歪をとる工程などが生じる。
【００１９】
また、図４（ｂ）  のように、柱１のフランジにガセットプレートを用いずに、直接、筋かい６を取り付ける場合、筋かい６の芯と基礎梁２の芯のずれが大きくなり、筋かい６からの軸力により柱１およびスプリットティーからなる接合金物１３に大きな曲げモーメントが生じる。
【００２０】
図２は本願発明を柱１と梁２の接合部に適用した場合の一実施形態における平面図である。
【００２１】
この例では柱１と梁７の接合部について、Ｈ形鋼からなる柱１のフランジ面にスプリットティーからなる接合金物３のフランジ３ｂを高力ボルト４で接合し、接合金物３のウェブ３ａと梁７のフランジを高力ボルト４で接合している。
【００２２】
スプリットティーからなる接合金物３のウェブ３ａの幅は、梁７の幅（この例ではフランジ幅に相当）より十分大きくとってあり、梁７の幅より外側に広がる部分に水平筋かい８の端部を接合する。この接合は高力ボルト等で行うことができるが、溶接等でもよい。
【００２３】
これに対し、前述した図５（ａ）  の場合、梁７にガセットプレート９を溶接して水平筋かい８を取り付けており、ガセットプレート９を製作する手間と、梁７に溶接により生じる歪をとる工程などが生じる。
【００２４】
また、図５（ｂ）  のように、梁７にガセットプレートを用いずに、直接、水平筋かい８を取り付ける場合、水平筋かい８の芯と柱１の芯のずれが大きくなり、水平筋かい８からの軸力により梁７およびスプリットティーからなる接合金物１３、柱１に水平面内の大きな曲げモーメントが生じる。
【００２５】
図３は本願発明をいわゆる梁通し型の架構の柱１と梁７の接合部に適用した場合の一実施形態を示したもので、（ａ）  は正面図、（ｂ）  は側面図である。
【００２６】
この例では柱１と梁７の接合部について、Ｈ形鋼からなる梁７の上下フランジ面に、それぞれスプリットティーからなる一対の接合金物３のフランジ３ｂを高力ボルト等で接合し、一対の接合金物３のウェブ３ａ間にＨ形鋼からなる柱１を挟み込むようにして高力ボルト等で接合している。
【００２７】
スプリットティーからなる接合金物３のウェブ３ａの幅は、柱１の幅（この例ではフランジ幅に相当）より十分大きくとってあり、柱１の幅より外側に広がる部分に筋かい６の端部を接合する。この接合は高力ボルト等で行うことができるが、溶接等でもよい。
【００２８】
なお、以上の実施形態において、柱１、基礎梁２、梁７等はＨ形鋼であったが、Ｈ形鋼に限定する必要はなく、角形鋼管等でもよい。
【００２９】
【発明の効果】
▲１▼本願発明では筋かいの接合にガセットプレートを必要としないため、鋼材量並びに製作工数の削減が図れる。
▲２▼ガセットプレートあるいは筋かいをＨ形鋼などからなる軸組部材に直接溶接する必要がないため、溶接歪の発生を避けることができる。
▲３▼本願発明の接合構造によれば、筋かいを柱の芯または梁の芯に近づけた状態で取り付けることができる。
【図面の簡単な説明】
【図１】本願発明の一実施形態を示したもので、（ａ）  は正面図、（ｂ）  は側面図である。
【図２】本願発明の他の実施形態を示す平面図である。
【図３】本願発明のさらに他の実施形態を示したもので、（ａ）  は正面図、（ｂ）  は側面図である。
【図４】図１の実施形態との比較例を示したもので、（ａ）  は従来のガセットプレートを用いた接合構造の正面図、（ｂ）  はガセットプレートを用いない場合の正面図である。
【図５】図２の実施形態との比較例を示したもので、（ａ）  は従来のガセットプレートを用いる接合構造の正面図、（ｂ）  はガセットプレートを用いない場合の正面図である。
【符号の説明】
１…柱、２…基礎梁、３…接合金物、３ａ…ウェブ、３ｂ…フランジ、４…高力ボルト、５…ガセットプレート、６…筋かい、７…梁、８…水平筋かい、９…ガセットプレート、１３…従来の接合金物
【図１】
0003584735.tif 000002
【図２】
0003584735.tif 000003
【図３】
0003584735.tif 000004
【図４】
0003584735.tif 000005
【図５】
0003584735.tif 000006